(57)【特許請求の範囲】
【請求項１】
ケースに挿入されたプラグに回転方向に連結されて操作対象にプラグの回転操作力を伝達するレバーを有し、
前記レバーとケースとの間には、所定の相対回転範囲が設定されるとともに、該相対回転範囲は、クリックストップ部により操作角度範囲とオーバーストローク回転範囲に区画され、
かつ、ケースとレバーには、操作角度範囲を含む所定の連結角度範囲内でレバーに係止して該レバーのプラグからの脱離を規制し、残余の角度において脱離が許容される脱離規制係止部が設けられるロック装置。
【請求項２】
ケースに挿入されたプラグに回転方向に連結されて操作対象にプラグの回転操作力を伝達するレバーを有し、
前記レバーにはケースに設けられた制御杆を該レバーの相対回転範囲内での回転を許容して受容する杆受容部が設けられるとともに、
前記相対回転範囲は、杆受容部の内壁面に突設されて経路幅を減少させ、制御杆の弾性的な縮径、あるいは経路幅の弾性的な拡幅を伴う制御杆の通過を可能にする狭幅突起により操作角度範囲と、オーバーストローク回転範囲とに区画され、
かつ、ケースとレバーには、操作角度範囲を含み、相対回転範囲内の所定の連結角度範囲内でレバーに係止して該レバーのプラグからの脱離を規制し、残余の角度において脱離が許容される脱離規制係止部が設けられるロック装置。
【請求項３】
前記狭幅突起は、操作角度範囲への制御杆の進行方向側壁面が進行方向に行くに従って漸次突出寸法が増加する傾斜面により形成され、反対壁面が進行方向に対して直交、あるいは前記傾斜面と反対の傾斜方向を有する急峻面により形成される請求項２記載のロック装置。
【請求項４】
前記操作角度範囲内に一対の動作ストローク確認用狭幅突起が設けられる請求項２または３記載のロック装置。  
【請求項５】
前記杆受容部は、貫通孔状に形成されるとともに、杆受容部の一方の側壁に平行に貫通長孔が形成され、
かつ、杆受容部と貫通長孔との間を薄肉に形成し、
杆受容部の側壁面に前記制御杆が狭幅突起形成箇所を通過する際の弾性変形能を付与する請求項２、３または４記載のロック装置。
【請求項６】
前記プラグとケースとの間には、プラグのケースに対する回転範囲を連結角度範囲以内に制限する操作角規制部が設けられ、
プラグのケースへの装着によりレバーの脱離が不能になる請求項１から５のいずれかに記載のロック装置。
【発明の詳細な説明】
【技術分野】
【０００１】
本発明は、ロック装置に関するものである。
【背景技術】
【０００２】
ケース内に挿入されたプラグへの回転操作によりレバーを回転させるロック装置としては、特許文献１に記載のものが知られている。この従来例において、ロック装置は、固定本体内に挿入される回転体（プラグ）と、プラグに連結されるキーレバー（レバー）とを有し、レバーのプラグからの脱離は、プラグにキークリップを装着することにより防止される。
【先行技術文献】
【特許文献】
【０００３】
【特許文献１】実開平５-１２５５８号公報
【発明の概要】
【発明が解決しようとする課題】
【０００４】
しかし、上述した従来例において、レバーの抜け止めにキークリップの装着を要するために、装着工数がかかる上に、部品点数も増加するという欠点がある。
【０００５】
本発明は、以上の欠点を解消すべくなされたものであって、レバーの装着効率も良好で、かつ、部品点数も減少させることのできるロック装置の提供を目的とする。
【課題を解決するための手段】
【０００６】
ロック装置は、ケース１に挿入されたプラグ２と、プラグ２に回転方向に連結されて操作対象３にプラグ２の回転操作力を伝達するレバー４とを有する。レバー４はケース１に対して３６０°を含む所定の相対回転範囲（Ｒｒ）内で相対回転自在であり、この相対回転範囲（Ｒｒ）は、レバー４とケース１との間に形成されるクリックストップ部５により操作角度範囲（Ｒａ）とオーバーストローク回転範囲（Ｒｏ）に区画される。プラグ２は、所定のキープレートを挿入したときにのみ回転が許容されるようにタンブラが装着されたもの以外、回転操作にキープレートの挿入を条件としない単なる摘み部材であってもよい。
【０００７】
また、ケース１とレバー４には、上記操作角度範囲（Ｒａ）を含む所定の連結角度範囲内で相互に係止する脱離規制係止部６が設けられる。脱離規制係止部６は、係止状態においてレバー４のプラグ２の長手方向への移動を規制することによってレバー４のケース１からの離脱を規制し、プラグ２との連結状態を保持する。
【０００８】
レバー４の装着は、ケース１との相対回転位置をオーバーストローク回転範囲（Ｒｏ）内、正確には連結角度範囲を超えた角度に保持した状態でレバー４をケース１に装着し、次いで、クリックストップ部５を越えてレバー４を操作角度範囲（Ｒａ）まで回転させることにより行われる。上述したように、操作角度範囲（Ｒａ）内においては、レバー４のケース１からの離脱が規制されるために、操作対象３、あるいはプラグ２等によりレバー４の回転動作角を操作角度範囲（Ｒａ）内に制限し、あるいはクリックストップ部５を、操作角度範囲（Ｒａ）側への移動は容易で、オーバーストローク回転範囲（Ｒｏ）側への移動が困難なように非対称に係止すると、レバー４がケース１から離脱することなく、プラグ２との連結状態が保持される。
【０００９】
したがってこの発明において、レバークリップ等、格別の連結手段を要することなくレバー４の脱落を不正でプラグ２を連結状態に維持することが可能になり、部品点数の減少が可能になる上に、装着作業も容易になる。さらに、操作角度範囲（Ｒａ）からオーバーストローク回転範囲（Ｒｏ）への復帰にはクリックストップ部５の乗り越えが必要であるために、操作対象３、あるいはプラグ２等によりレバー４の回転範囲を規制するまでの間におけるレバー４の脱離も有効に防止できる。
【００１０】
クリックストップ部５は、例えば、レバー４を筒形状に形成してケース１の外周に嵌合させ、嵌合部のいずれか一方に形成された弾性変形部を他方に形成された突部の通過時に撓ませるように構成することも可能であるが、ケース１に突設した制御杆７をレバー４の杆受容部８に嵌合、あるいは挿通させることによって形成することも可能である。
【００１１】
このようなロック装置は、
ケース１に挿入されたプラグ２に回転方向に連結されて操作対象３にプラグ２の回転操作力を伝達するレバー４を有し、
前記レバー４にはケース１に設けられた制御杆７を該レバー４の相対回転範囲（Ｒｒ）内での回転を許容して受容する杆受容部８が設けられるとともに、
前記相対回転範囲（Ｒｒ）は、杆受容部８の内壁面に突設されて経路幅を減少させ、制御杆７の弾性的な縮径、あるいは経路幅の弾性的な拡幅を伴う制御杆７の通過を可能にする狭幅突起９により操作角度範囲（Ｒａ）と、オーバーストローク回転範囲（Ｒｏ）とに区画され、
かつ、ケース１とレバー４には、操作角度範囲（Ｒａ）を含み、相対回転範囲（Ｒｒ）内の所定の連結角度範囲内でレバー４に係止して該レバー４のプラグ２からの脱離を規制し、残余の角度において脱離が許容される脱離規制係止部６が設けられるように構成され、このように構成することにより、レバー４の構造を簡単にすることができる。
【００１２】
この場合、狭幅突起９は、操作角度範囲（Ｒａ）への制御杆７の進行方向側壁面が進行方向に行くに従って漸次突出寸法が増加する傾斜面により形成され、反対壁面が進行方向に対して直交、あるいは前記傾斜面と反対の傾斜方向を有する急峻面１０により形成してクリップストップ部５に非対称性をもたせることができる。このように構成すると、制御杆７をオーバーストローク回転範囲（Ｒｏ）から操作角度範囲（Ｒａ）に移動させる場合、すなわち、レバー４の組み付け作業時のレバー４の回転操作は、狭幅突起９の傾斜面がレバー４への回転操作力から拡幅方向への分力を発生させるために、容易なのに対し、反対方向、すなわち、レバー４離脱方向への回転操作は、急峻面１０の作用により上述した分力を期待できないために、組み付け時に比して困難となる。
【００１３】
この結果、上述した操作対象３によるレバー４の角度規制なしに、あるいはこれと併用してレバー４を操作角度範囲（Ｒａ）内に留めることが可能になる。
【００１４】
上述したように、レバー４は連結角度範囲を超えない限り、ケース１から脱落することはなく、クリックストップ部５に頼ることなく上記連結角度範囲内にレバー４の移動角を制限することによってレバー４の脱落が完全に防止される。
【００１５】
レバー４の移動角の制限は、操作対象３により間接的に行うことができるが、
プラグとケースとの間には、プラグのケースに対する回転範囲を連結角度範囲以内に制限する操作角規制部が設けられ、
プラグのケースへの装着によりレバーの脱離が不能にすることができる。
【発明の効果】
【００１６】
本発明によれば、レバーの装着効率を向上させ、かつ、部品点数も減少させることができる。
【図面の簡単な説明】
【００１７】
【図１】本発明を示す図で、（ａ）は正面図、（ｂ）は裏面図である。
【図２】ロック装置を示す図で、（ａ）は図１（ｂ）の２Ａ-２Ａ線断面図、（ｂ）は図１（ｂ）の２Ｂ方向矢視図、（ｃ）は図２（ｂ）の２Ｃ-２Ｃ線断面図である。
【図３】クリックストップ部の動作を示す図で、（ａ）は施錠状態を示す図、（ｂ）はレバーの装着操作開始を示す図である。
【図４】レバーの装着状態を示す図で、（ａ）は分解図、（ｂ）は（ａ）の４Ｂ方向矢視図である。
【発明を実施するための形態】
【００１８】
図１以下に示すように、ロック装置は、ケース１と、ケース１内に挿入されるプラグ２と、プラグ２の後端に連結されるレバー４とを有する。
【００１９】
図２（ａ）に示すように、プラグ２には適数のタンブラ２ａが装着されており、真正な解錠キーが挿入された場合にのみ回転操作が可能になる。また、プラグ２の後端には回り止め突部２ｂが突設される。
【００２０】
ケース１は、上記プラグ２が挿入される筒形状のプラグ保持部１ａと、プラグ保持部１ａの側壁部から張り出される固定部１ｂとを有し、固定部１ｂに形成された取付孔１ｃに挿入されるボルト等の止着子（図示せず）により施錠対象（操作対象３）が固定される図外の基部に固定される。
【００２１】
上記プラグ２はプラグ保持部１ａの前方開放端から挿入されてケース１に装着され、プラグ２の後端部に装着されるストッパタンブラ２ｃをケース１のストッパ突条１ｄに係止させることにより抜け止めされる。図４に示すように、ケース１には、上記ストッパタンブラ２ｃの回転角度を規制するためのガイド凹部１ｅが設けられ、これらストッパタンブラ２ｃとガイド凹部１ｅにより操作角規制部１３が構成される。
【００２２】
一方、レバー４は、図１、２に示すように、一端が開放され、他端が底壁４ａにより閉塞された有底筒部４ｂの側壁から作動片４ｃを突出させて形成され、有底筒部４ｂを上記ケース１のプラグ保持部１ａに外嵌合して装着される。また、レバー４の有底筒部４ｂの底壁４ａには上記プラグ２の回り止め突部２ｂが挿入する突部受容孔４ｄが開設されており、レバー４をケース１に装着した状態で、レバー４はプラグ２に対して回転方向に連結されてプラグ２とともに回転する。
【００２３】
さらに、ケース１のプラグ保持部１ａの後端面には制御杆７が突設され、レバー４の底壁４ａには制御杆７が貫通する杆受容部８が設けられる。レバー４のケース１に対する回転、すなわち、プラグ２の回転を保証するために、杆受容部８はプラグ２の回転中心と同心の円弧状の長孔により形成され、杆受容部８の長さによりレバー４のケース１に対する相対回転範囲（Ｒｒ）が決定される。
【００２４】
図１、２に示すように、レバー４には杆受容部８の一方の内周壁に平行な貫通長孔１２が開設されるとともに、杆受容部８と貫通長孔１２に挟まれた領域は他に比して薄肉とされ、さらに、該薄肉部４ｅの内壁に三角形状の狭幅突起９が突設される。
【００２５】
杆受容部８の一般部は上記制御杆７の通過が可能なように、制御杆７の太さ寸法よりやや幅広の経路幅寸法を有しており、狭幅突起９が配置されることにより、経路幅は制御杆７の通過が困難な寸法にまで狭められる。狭幅突起９の突出寸法、および上記薄肉部の幅寸法、すなわち杆受容部８と貫通長孔１２との間隔、あるいは薄肉部の板厚は、制御杆７が狭幅突起９を越えるときに適度のクリック感が発生するように、実験的に決定される。
【００２６】
上記狭幅突起９は杆受容部８の両端近傍に一対配置され、これら狭幅突起９により、上記相対回転範囲（Ｒｒ）は、経路終端を含むオーバーストローク回転範囲（Ｒｏ）と、これらオーバーストローク回転範囲（Ｒｏ）間に位置する操作角度範囲（Ｒａ）に区画される。上述したように、狭幅突起９はケース１の制御杆７と協働してクリックストップ部５を構成し、レバー４移動時のクリック感をもたらし、レバー４がオーバーストローク回転範囲（Ｒｏ）と操作角度範囲（Ｒａ）との間で移動する際のクリック感、あるいは適度の抵抗力が発生する。
【００２７】
上記狭幅突起９は壁面の立ち上がり角度がオーバーストローク回転範囲（Ｒｏ）側でなだらかで、操作角度範囲（Ｒａ）側で急峻な非対称形状に形成される。この結果、オーバーストローク回転範囲（Ｒｏ）から操作角度範囲（Ｒａ）に制御杆７を移動させる際には、傾斜面には制御杆７の乗り上がり方向の操作力によって内方に向かう分力、すなわち、薄肉部４ｅへの弾性変形操作力が発生するために、比較的小さな操作力により狭幅突起９をかわすことができる。
【００２８】
これに対し、制御杆７が操作角度範囲（Ｒａ）からオーバーストローク回転範囲（Ｒｏ）に移動する際には、急峻面１０の存在により、上記傾斜面による分力が発生しないために、狭幅突起９の乗り越えにはより大きな操作力を要する。
【００２９】
さらに、上記操作角度範囲（Ｒａ）内には、一対の動作ストローク確認用狭幅突起１１が設けられる。これら動作ストローク確認用狭幅突起１１は、後述するように、利用者にロック操作の動作終端位置を知らせるために配置され、この実施の形態においては、一方は施錠位置を知らせるために狭幅突起９からやや離れた位置に、他方は、解錠位置を知らせるために、上記狭幅突起９と対をなす他の狭幅突起９との間に制御杆７の太さとほぼ等しい間隔をおいて配置される。
【００３０】
さらに、上記ケース１とレバー４には脱離規制係止部６が設けられる。図４に示すように、ケース１側の脱離規制係止部６Ａは、プラグ保持部１ａの外周壁面から突出されるフランジ形状を有し、プラグ２の回転中心に対して線対称位置に一対設けられる。これに対し、レバー４側の脱離規制係止部６Ｂは、図２（ｃ）、図４（ａ）に示すように、有底筒部４ｂの開放端側端面から内方に向けて突設される突片形状を有し、プラグ２の回転中心に対して線対称位置に一対設けられる。このレバー４側の脱離規制係止部６Ｂの幅寸法は、ケース１側の脱離規制係止部６Ａ間の間隔に比して幅狭に形成されており、ケース１側の脱離規制係止部６Ａ間を通過させた後、レバー４全体を回転させて図２（ｃ）に示すように、ケース１側の脱離規制係止部６Ａに重合、係止させることにより、レバー４の脱離を規制することができる。
【００３１】
上記レバー４側の脱離規制係止部６Ｂは、制御杆７が杆受容部８の操作角範囲を含む連結角度範囲内にあるときにはケース１側の脱離規制係止部６Ａに係止し、残余の角度範囲においては係止解除する位置に配置される。
【００３２】
したがってこの実施の形態において、レバー４の装着に際し、まず、レバー４を図３（ｂ）に示すように、制御杆７がオーバーストローク回転範囲（Ｒｏ）の終端部に挿入する姿勢に保持する。この姿勢でレバー４の脱離規制係止部６Ｂは、図２（ｃ）におけるａ位置、すなわち、ケース１側の脱離規制係止部６Ａ間の間隙に位置しており、この状態からレバー４を押し込み、次いで、図３（ａ）に示す位置まで回転させると、レバー４側の脱離規制係止部６Ｂは図２（ｃ）におけるｂ位置に移動してケース１側の脱離規制係止部６Ｂと係止してケース１からの離脱が防止される。
【００３３】
双方の係止状態は、図２（ｃ）におけるｃ位置まで保持され、レバー４は、ｂ-ｃ位置間での回転操作が行われる限りプラグ２との連結が保証される。
【００３４】
図１は以上のように構成されるロック装置の使用状態の一例を示すもので、ロック装置は、レバー４によって施錠対象３を９０°の動作ストロークで作動させて施解錠状態間を遷移させるために使用される。図１（ａ）において、解錠位置におけるレバー４を実線で、施錠位置におけるレバー４を鎖線で示す。
【００３５】
上述したように、施解錠位置での操作中、レバー４側の脱離規制係止部６は、図２（ｃ）のｂ-ｃ間を移動し、ケース１側の脱離規制係止部６との係止状態が保持されるために、レバー４のプラグ２から脱離は規制されており、さらに、施解錠位置において、制御杆７は動作ストローク確認用狭幅突起１１を通過し、このとき発生するクリック感により利用者に施解錠位置を知らせることができる。
【００３６】
ロック装置の基部への取り付けは、まず、レバー４をケース１に装着した後、レバー４を施解錠いずれかの位置に保持してクリック停止させ、この状態で基部に固定し、次いで、プラグ２をケース１に装着して行われる。プラグ２のケース１への挿入は、レバー４の停止位置に対応する角度、すなわち、レバー４を施錠位置にクリック停止させた場合、施錠回転角度でプラグ２をケース１に挿入して行われ、プラグ２の挿入によってプラグ２の回り止め突部２ｂはレバー４の突部受容孔４ｄに嵌合し、プラグ２とレバー４は回転方向に連結される。
【００３７】
また、プラグ２がストッパタンブラ２ｃによりケース１からの抜け止めされると、以後、プラグ２の回転角は、ストッパタンブラ２ｃの移動範囲がガイド凹部１ｅにより規制されることによって、施解錠回転位置間に制限され、結果、制御杆７が連結角度範囲を超えて移動することはなく、レバー４の脱離は確実に防止される。
【００３８】
さらに、プラグ２を挿入する前、すなわち、レバー４のみを組み付けたケース１の搬送時、あるいは保管時において、制御杆７は狭幅突起９と動作ストローク確認用狭幅突起１１との間に挟まれることにより不用意な移動が防止されるために、連結角度範囲を超えて移動することによるレバー４の脱離、および、レバー４の移動によるプラグ２挿入時の回り止め突部２ｂとレバー４の突部受容孔４ｄとの位置ずれが防止される。
【００３９】
なお、以上においては、レバー４の回転範囲を規制するための操作角規制部１３をプラグ２に装着されるストッパタンブラ２ｃとケース１のガイド凹部１ｅにより構成する場合を示したが、これ以外に、例えば、プラグ２の頭部近傍に径方向に膨隆するストッパと、ケース１に形成されてストッパの回転範囲を規制する凹部とから構成することができる。
【符号の説明】
【００４０】
１        ケース
２        プラグ
３        操作対象
４        レバー
５        クリックストップ部
６        脱離規制係止部
７        制御杆
８        杆受容部
９        狭幅突起
１０      急峻面
１１      動作ストローク確認用狭幅突起
１２      貫通長孔
Ｒｒ      相対回転範囲
Ｒａ      操作角度範囲
Ｒｏ      オーバーストローク回転範囲
【図１】
0005750258.tif 000002
【図２】
0005750258.tif 000003
【図３】
0005750258.tif 000004
【図４】
0005750258.tif 000005